(57)【要約】【課題】衣類収納空間に自由に取付けできると共に、その衣類収納状態に衣類を自由に収納できるようにしたファン式防虫装置とする。【解決手段】装置本体１に薬剤保持体２と送風機３を設け、その害虫防除成分を放出口４から気中に放出するようにし、前記装置本体１に取付部５を設けると共に、この取付部５をハンガーパイプ６に係止して取付けた状態で前記放出口４がハンガーパイプ６と直交する方向に向けて開口しているファン式防虫装置である。【選択図】　　　図１
2004008068.tif 000002
【特許請求の範囲】
【請求項１】
害虫防除成分を有する薬剤保持体２と送風機３を備え、この送風機３から発生する気流を薬剤保持体２に接触又は通過させることにより害虫防除成分を放出口４から気中に放出する装置本体１と、
前記装置本体１に設けられハンガーパイプ６に取付けるための取付部５を有し、
前記放出口４は、前記ハンガーパイプ６と直交する方向に開口していることを特徴とするファン式防虫装置。
【請求項２】
取付部５をハンガーパイプ６に取付けた状態で、放出口４はハンガーパイプ６から１５ｃｍ以内の距離に位置する請求項１記載のファン式防虫装置。
【発明の詳細な説明】
【０００１】
【発明の属する技術分野】
本発明は、洋服ダンスやクローゼット等の衣類収納空間の防虫に用いるファン式防虫装置、詳しくは、害虫防除成分を有する薬剤保持体と送風機を備え、この送風機から発生する気流を薬剤保持体に接触又は通過させることにより害虫防除成分を放出口から気中に放出するファン式防虫装置に関する。
【０００２】
【従来の技術】
洋服ダンスやクローゼット等の衣類収納空間の防虫に用いるものとして、害虫防除成分を自然蒸散する防虫剤が知られ、この防虫剤は広く一般に利用されている。
また、特開平１１−３０８９５５号公報に開示されたファン式防虫装置が提案されている。
具体的には、害虫防除成分を有する薬剤保持体と送風機を備え、その薬剤保持体に送風機により発生する気流を接触させることで害虫防除成分を放出口から気中に放出するファン式防虫装置である。
【０００３】
【発明が解決しようとする課題】
前者の防虫剤は害虫防除成分を自然蒸散するので、防虫剤と衣類が触れても、その害虫防除成分が衣類に付着して汚染することはなく、衣類収納空間のハンガーパイプに吊り下げる等して取付ける際に収納している衣類を気にせず自由に取付けできると共に、衣類を収納する際に防虫剤に触れることを気にせず自由に収納できる。
しかしその反面、害虫防除成分が自然蒸散のために害虫防除成分が狭い空間にしか拡散しないので、衣類収納空間全体に害虫防除成分を行き渡らせるには複数の防虫剤が必要である。
【０００４】
後者のファン式防虫装置は、送風機による気流と共に害虫防除成分を放出口から放出するので、その害虫防除成分は広い空間に拡散し、１つのファン式防虫装置で衣類収納空間全体に害虫防除成分が行き渡る。
しかしその反面、害虫防除成分の放出口と収納された衣類が触れていると害虫防除成分が衣類に付着して汚染することがあると共に、害虫防除成分の拡散が衣類によって妨げられてしまう。
このために、ハンガーパイプに吊り下げて衣類収納空間に取付ける際には放出口が衣類と触れないように注意深く取付ける必要があると共に、衣類を収納する際には放出口に触れないように注意深く収納しなければならない。
【０００５】
本発明は、前述の課題に鑑みなされたものであり、その目的は、衣類収納空間全体に害虫防除成分を行き渡らせることができること、ハンガーパイプに取付ける際に衣類を気にせず自由に取付けできること、衣類を収納する時に放出口を気にせずに自由に収容できること、を満足したファン式防虫装置を提供することである。
【０００６】
【課題を解決するための手段】
第１の発明は、害虫防除成分を有する薬剤保持体２と送風機３を備え、この送風機３から発生する気流を薬剤保持体２に接触又は通過させることにより害虫防除成分を放出口４から気中に放出する装置本体１と、
前記装置本体１に設けられハンガーパイプ６に取付けるための取付部５を有し、
前記放出口４は、前記ハンガーパイプ６と直交する方向に開口していることを特徴とするファン式防虫装置である。
【０００７】
第２の発明は、第１の発明において、取付部５をハンガーパイプ６に取付けた状態で、放出口４はハンガーパイプ６から１５ｃｍ以内の距離に位置するファン式防虫装置である。
【０００８】
【作　用】
第１の発明によれば、取付部５をハンガーパイプ６に取付けて衣類収納空間に取付け、送風機３を駆動することで害虫防除成分が放出口４からハンガーパイプ６と直交する方向に放出され、衣類収納空間全体に害虫防除成分を行き渡らせることができる。
また、衣類７をハンガー８に吊り下げてハンガーパイプ６に取付けて収納した状態において、放出口４から放出される害虫防除成分は衣類７とほぼ平行方向に放出され、衣類７に吹きつけられることがない。
よって、衣類７を収納する時に放出口４を気にせずに自由に収納できるし、衣類７を収納してある状態でファン式防虫装置をハンガーパイプ６に取付ける際にも衣類７を気にせずに自由に取付けできる。
【０００９】
第２の発明によれば、放出口４はハンガー８の衣類を掛ける部分８ａよりも下方には位置しないので、その放出口４が衣類７で塞がれることがなく、害虫防除成分を衣類収納空間全体に確実に行き渡らせることができる。
【００１０】
【発明の実施の形態】
本発明の第１の実施の形態を図１、図２、図３に基づいて説明する。
装置本体１は、害虫防除成分を有する薬剤保持体２と送風機３を備え、この送風機３から発生する気流を薬剤保持体２に接触又は通過させることで薬剤保持体３が有する害虫防除成分を放出口４から気中に放出する。
前記装置本体１は取付部５を有し、この取付部５をハンガーパイプ６に取付けることで衣類収納空間内に取付けられる。
前記放出口４はハンガーパイプ６と直交する方向に開口している。好ましくは、装置本体１のハンガーパイプ６と直交する面１ａに形成してある。なお、図１において放出口４は左側の面１ａに形成してあるが右側の面に形成しても良い。
【００１１】
このようであるから、図４と図５に示すように取付部５をハンガーパイプ６に取付けてファン式防虫装置を衣類収納空間、例えばクローゼットに取付けた状態で、送風機３を駆動することで害虫防除成分が放出口４から矢印ａで示すようにハンガーパイプ６と直交する方向に放出される。
よって、衣類７を吊り下げたハンガー８をハンガーパイプ６に取付けて衣類７を収納した状態において、放出口４から放出される害虫防除成分は衣類７とほぼ平行方向に放出されて衣類７に吹きつけられることがないので、ハンガー８を手で持ってハンガーパイプ６に吊り下げて衣類７を収納する際に放出口４に触れることを気にせずに自由に収納できる。
つまり、前述のように衣類７を収納する際に放出口４に触れたとしても収納した状態では放出される害虫防除成分が衣類７に向けて放出しないから、自由に取付けできる。
また、ハンガーパイプ６にハンガー８を吊り下げて衣類７を収納してある状態で、ファン式防虫装置を取付ける際にも前述と同様に衣類７を気にせず自由に取付けできる。
【００１２】
前記取付部５をハンガーパイプ６に取付けた状態で、放出口４はハンガー８の衣類を掛ける部分８ａよりも下方に位置しないようにしてある。好ましくはハンガー８より上方、或いは１０ｃｍ以内である。具体的には、放出口４はハンガーパイプ６から１５ｃｍ以内の距離に位置する。つまり、ハンガーパイプ６の上面６ａから放出口４の下端部４ａまでの距離Ｌが１５ｃｍ以内であることが好ましい。
このようにすることで、図４、図５に示すように放出口４の下端部４ａはハンガー８の衣類を掛ける部分８ａよりも下方には位置しないから、ハンガー８に吊り下げた衣類７で放出口４が塞がれることがなく、害虫防除成分を衣類収納空間の全体に行き渡らせることができる。
【００１３】
つまり、衣類は板等と違い柔軟である為、本発明のファン式防虫装置が衣類７との間におけるハンガー８よりも下方の部分の間に位置すると、衣類同志に押されたり、また、衣類７自体が静電気を持ち隣接した衣類同志がくっつくことがある。
これらによって、装置本体１が衣類７で完全に包み込まれて放出口４が衣類７で塞がれてしまうことがある。
これに対して、前述のように放出口４の位置を決めることで、その放出口４はハンガー８の衣類を掛ける部分８ａと対向し、前述したように放出口４が衣類７で塞がれることがない。
【００１４】
次に、各部の具体形状の一例を説明するが、この形状に限ることはない。
装置本体１は本体部１０とカバー部１１を着脱自在に連結したもので、その本体部１０は送風機収納室１０ａと電池収納室１０ｂを有する。
前記本体部１０は送風機収納室１０ａに開口した第１通気孔１２を有すると共に、前述の放出口４を有する。
前記カバー部１１は第１通気孔１２と対向した第２通気孔１３を有し、このカバー部１１と本体部１０との間に薬剤保持体２が設けてある。
【００１５】
前記薬剤保持体２は通気性を有する容器１４、例えば対向面に通気孔１４ａを有する容器１４内に害虫防除成分を含有する担持体（粉剤、粒剤など）１５を充填したもので、その容器１４の外向フランジ１４ｂをカバー部１１における第２通気孔１３の開口縁内側面に接して取付けられる。
前記送風機３は電動モータ３ａでファン３ｂを回転するもので、この電動モータ３ａは電池収納室１０ｂに設けた電池１６を電源として駆動される。
【００１６】
前記取付部５は、装置本体１（本体部１０）に一体的に設けたフック形状で、その下向きほぼ半円形状の凹部５ａをハンガーパイプ６に嵌め込むようにして取付けられる。
この取付部５のハンガーパイプ長手方向の寸法Ｓ１、つまり幅は大きく、ハンガーパイプ６に対して揺動変位しないようにしてある。
これによって、装置本体１がハンガーパイプ６に対して揺動変位しないから、放出口４は常にハンガーパイプ６と直交する方向に向いている。
なお、前記取付部５の前述の寸法Ｓ１は小さくとも良い。
【００１７】
前記送風機３の下方に電池１６が設けられていることで装置本体１の重心位置が下方寄りである。
装置本体１の上部に取付部５が設けてある。
これらのことが相俟ってファン式防虫装置をハンガーパイプ６に安定した状態で吊り下げて取付けできる。
しかも、取付部５のハンガーパイプ６に取り付けられる部分が送風機３の中心（装置本体１の幅方向中央）に位置しているので、ハンガーパイプ６に沿って幅方向に振れ動くことがない。
【００１８】
また、装置本体１のハンガーパイプ６と平行方向の寸法（例えば厚さＴ）がハンガーパイプ６と直交する方向の寸法（例えば幅Ｈ）よりも小さく、図４に示すようにハンガーパイプ６に取付けた状態でハンガーパイプ６に取付けた衣類７の邪魔になりづらい。
【００１９】
なお、薬剤保持体２をファン３ｂ（シロッコファン）の内部に設けることで装置本体１から突出する寸法を小さくすれば前述の幅Ｔより小さくできる。
また、送風機３と薬剤保持体２を幅方向に配設することで前述の幅Ｔより小さくできる。
【００２０】
例えば、図６に示すように本体部１０は送風機収納室１０ａを形成する隔壁１７を有し、この本体部１０の幅方向一端部にカバー部１１を取付け、本体部１０とカバー部１１で電池収納室１０ｂと薬剤収納室１ｂを形成する。
カバー部１１（装置本体１の前述した面１ａ）に放出口４を薬剤収納室１ｂに開口して形成する。
前記隔壁１７に通気口１８を形成し、ファン３ｂの回転によって生じた気流が通気口１８、薬剤収納室１ｂを通って放出口４から流出するようにする。
この場合には薬剤収納室１ｂに設ける薬剤保持体２は、害虫防除成分を含有する担持体１５を直接設けることができるが、前述の図３に示すものを設けても良い。
【００２１】
このようにすることで、幅Ｈが大きくなるが、装置本体１の厚さを送風機３の軸方向寸法よりも若干だけ大きな値とすることができる。
【００２２】
本発明に用いる薬剤保持体２は、前記害虫防除成分を含有する担持体の成形体（ネット、シート、プレート、多孔体、繊維体、綿体、スポンジ体など）、またはそれらの収納体（通気性容器、通気性袋など）である。また、薬剤保持体２は、その形態、材質を任意に設定することができる。簡単な構造で、通気性の大きいものが好ましい。
例えば、通気孔を有する容器形状、網形状、ハニカム形状、すのこ形状、格子形状、開孔形状などの構造が挙げられる。材質は、例えば、紙、合成樹脂、セラミック、繊維などの公知のものが使用できる。
【００２３】
本発明に用いる害虫防除成分は、送風により揮散するものであれば特に限定されず、例えば、エムペントリン、バイオアレスリン、フラメトリン、プラレトリン、テフラメトリン、トランスフルスリン、フェンフルスリンなどのピレスロイド系殺虫剤、フェニトロチオン、ジクロルボスなどの有機リン系殺虫剤、樟脳、ナフタリン、パラジクロルベンゼンなどの昇華性防虫剤、ペパーミント、スペアミント、ナツメグ、ラベンダーなどのハーブ、リナロール、メントール、シンナムアルデヒド、チモール、カルボンなどのテルペン、レモングラス油、ヒノキ油、イランイラン油、ヒバ油などの精油、Ｎ，Ｎ−ジメトル−ｍ−トルアミド、フタル酸ジメチル、２−エチル−１，３−ヘキサンジオールなどの忌避剤などの公知の揮散性薬剤が挙げられ、その単独、または組合わせて使用することができる。また、消臭剤、防黴剤、香料、酸化防止剤、揮散調整剤などを必要に応じて配合することもできる。
【００２４】
本発明の装置に使用できる電池としては、アルカリ単一電池、アルカリ単二電池、アルカリ単三電池、アルカリ単四電池、アルカリ単五電池、マンガン単一電池、マンガン単二電池、マンガン単三電池、マンガン単四電池、マンガン単五電池、ボタン電池、空気電池などの一次電池、ニカド電池、リチウムイオン電池等の二次電池が挙げられるが、何らこれに限定されるものではない。
【００２５】
また、衣類用防虫剤は一般的に半年から１年間使用されるため、本発明の装置もその期間作動する事が望ましく、方法としては電池を多数使用する方法が挙げられるが、ＩＣ等を用いたファンをインターバル制御することが推奨できる。
インターバル期間としてはファン駆動時間に対しファン停止時間を１０〜２００倍、好ましくは２０〜５０倍の範囲とするのが良い。ファンの駆動時間は１０秒から１０分程度が良い。ファンの消費電力は３００〜５ｍＷ程度のものが良い。
好ましい形態としては、アルカリ単三乾電池×直列２本で約１年作動する。１年作動を果たす為に、本装置はＩＣによりファンの駆動をインターバル制御しており、インターバル期間はファン駆動時間を１分とし、ファン停止時間を２９分とした。ファンの消費電力は３Ｖ時で２４ｍＷのものを使用した。
【００２６】
また、本発明の装置にクローゼット等の扉の開閉を感知し、上記インターバル制御とは別の制御系を用い装置を作動するよう設定しても良い。
クローゼット等の扉の開閉を感知する方法としてはセンサーが挙げられ、センサーとしては光を感知するもの、又は、振動を感知するもの、物体の通過を感知するもの、温度を感知するもの等があり、その内１つを使用、または複数を組み合わせて使用しても良い。また、リミットスイッチを使い扉の開閉を感知しても良い。
【００２７】
本発明の装置には使用終了を使用者に知らせるインジケータを付加させることが望ましい。インジケータの方式としては、薬剤が径時的に変色する方法や、薬剤が径時的に消失する方法、又は、器具に液晶パネルやＬＥＤ、ランプなどによる方法が挙げられる。
本発明の装置には装置を駆動するスイッチやインジケータが付加されるが、その部位は装置を棒体に取り付けた際、正面にくることが望ましい。
【００２８】
【発明の効果】
請求項１に係る発明によれば、取付部５をハンガーパイプ６に取付けて衣類収納空間に取付け、送風機３を駆動することで害虫防除成分が放出口４からハンガーパイプ６と直交する方向に放出され、衣類収納空間全体に害虫防除成分を行き渡らせることができる。
また、衣類７をハンガー８に吊り下げてハンガーパイプ６に取付けて収納した状態において、放出口４から放出される害虫防除成分は衣類７とほぼ平行方向に放出され、衣類７に吹きつけられることがない。
よって、衣類７を収納する時に放出口４を気にせずに自由に収納できるし、衣類７を収納してある状態でファン式防虫装置をハンガーパイプ６に取付ける際にも衣類７を気にせずに自由に取付けできる。
【００２９】
請求項２に係る発明によれば、放出口４はハンガー８の衣類を掛ける部分８ａよりも下方には位置しないので、その放出口４が衣類７で塞がれることがなく、害虫防除成分を衣類収納空間全体に確実に行き渡らせることができる。
【図面の簡単な説明】
【図１】本発明の第１の実施の形態を示す側面図である。
【図２】本発明の第１の実施の形態を示す正面図である。
【図３】図１のＡ−Ａ断面図である。
【図４】衣類収納空間に取付けた状態の正面図である。
【図５】図４のＢ−Ｂ断面図である。
【図６】本発明の第２の実施の形態を示す断面図である。
【符号の説明】
１…装置本体、２…薬剤保持体、３…送風機、４…放出口、５…取付部、６…ハンガーパイプ、７…衣類、８…ハンガー。
【図１】
2004008068.tif 000003
【図２】
2004008068.tif 000004
【図３】
2004008068.tif 000005
【図４】
2004008068.tif 000006
【図５】
2004008068.tif 000007
【図６】
2004008068.tif 000008